(57)【特許請求の範囲】
【請求項１】
容器本体の口部に装着され、ステムの押込みと復帰動作の繰り返しにより該容器本体に収容された内容物を吸引するポンプと、該ステムに装着されるとともに、該ポンプから送給される内容物の注出口を有する受皿とを備える受皿付きポンプ容器であって、
前記受皿は、該ステムの出口開口に通じる連通口を有し該ステムに保持される下皿と、該連通口に対して間隔をあけて覆い被さり該下皿との間で該連通口に通じる内部空間を形成するとともに、該連通口の直上を避けた位置に前記注出口を設けて該内部空間と該注出口とを連通させた上皿とを備え、
前記下皿は、前記注出口に向けて伸延して該注出口との間で内容物の毛細管現象を生じさせる隙間を形成する凸部を有する受皿付きポンプ容器。
【請求項２】
前記注出口を複数備える請求項１に記載の受皿付きポンプ容器。
【請求項３】
前記上皿は、前記注出口の縁部から前記下皿に向けて伸延して前記凸部との間で前記隙間を形成する突起を有する請求項１に記載の受皿付きポンプ容器。
【請求項４】
前記受皿は、前記上皿を覆う蓋体と、該蓋体と該上皿とを連結する上側ヒンジと、該上皿と前記下皿とを連結する下側ヒンジとを有する請求項１〜３の何れか一項に記載の受皿付きポンプ容器。
【発明の詳細な説明】
【技術分野】
【０００１】
本発明は、容器本体の口部に装着されるポンプと、ポンプのステムに装着されるとともに内容物の注出口を有する受皿とを備える受皿付きポンプ容器に関するものである。
【背景技術】
【０００２】
従来、ポンプのステムに装着されるとともに内容物の注出口を有する受皿を備える受皿付きポンプ容器としては、例えば特許文献１に示されているものが知られている。このような受皿付きポンプ容器は、受皿の上面にコットンやパフ等の塗布用具を載せて塗布用具の上から指で押圧してポンプを駆動させ、受皿の注出口から注出される内容物を塗布用具にしみ込ませて使用することが一般的である。
【先行技術文献】
【特許文献】
【０００３】
【特許文献１】特開２００２−２５４０００号公報
【発明の概要】
【発明が解決しようとする課題】
【０００４】
ところでこのような受皿付きポンプ容器においては、指の当て加減によっては、注出口が指で塞がれ気味になってしまうため、狭くなった注出口から内容物が勢いよく注出されることがある。特に、特許文献１に示されるような、注出口がステムの出口開口に対して直上に位置するものにあっては、ステムの出口開口から吐出される内容物は、流れの勢いが殆ど弱まることなく注出口に向かうことになるため、内容物が勢いよく注出される現象が起こりやすくなる。このような状況下で、例えば比較的目が粗く厚みの薄い塗布用具を用いると、内容物が塗布用具を通り抜けて周囲に飛散してしまうことがあった。
【０００５】
本発明は、このような問題を解決することを課題とするものであり、その目的は、内容物を緩やかに注出させることができる、新規の受皿付きポンプ容器を提案するところにある。
【課題を解決するための手段】
【０００６】
本発明は、容器本体の口部に装着され、ステムの押込みと復帰動作の繰り返しにより該容器本体に収容された内容物を吸引するポンプと、該ステムに装着されるとともに、該ポンプから送給される内容物の注出口を有する受皿とを備える受皿付きポンプ容器であって、
前記受皿は、該ステムの出口開口に通じる連通口を有し該ステムに保持される下皿と、該連通口に対して間隔をあけて覆い被さり該下皿との間で該連通口に通じる内部空間を形成するとともに、該連通口の直上を避けた位置に前記注出口を設けて該内部空間と該注出口とを連通させた上皿とを備え、
前記下皿は、前記注出口に向けて伸延して該注出口との間で内容物の毛細管現象を生じさせる隙間を形成する凸部を有する受皿付きポンプ容器である。
【０００７】
前記注出口を複数備えることが好ましい。
【０００９】
前記上皿は、前記注出口の縁部から前記下皿に向けて伸延して前記凸部との間で前記隙間を形成する突起を有することが好ましい。
【００１０】
前記受皿は、前記上皿を覆う蓋体と、該蓋体と該上皿とを連結する上側ヒンジと、該上皿と前記下皿とを連結する下側ヒンジとを有することが好ましい。
【発明の効果】
【００１１】
本発明の受皿は、ステムの出口開口に通じる連通口を有する下皿と、連通口に対して間隔をあけて覆い被さって下皿との間で連通口に通じる内部空間を形成するとともに、連通口の直上を避けた位置に、内部空間と連通する注出口を設けた上皿とを備えている。これにより、ステムの出口開口から送給される内容物は、内部空間で迂回してから注出されることになるので、流れの勢いが弱められることになる。このため、注出口から内容物を緩やかに注出させることができる。
【００１２】
注出口を複数備える場合は、内容物が分散して注出されることになるため、内容物をより緩やかに注出させることができる。
【００１３】
下皿に、注出口に向けて伸延して、注出口との間で内容物の毛細管現象を生じさせる隙間を形成する凸部を設ける場合は、注出口にあてがう塗布用具によって、内部空間に残った内容物を吸い上げることができる。これにより、残った内容物が注出口や内部空間で固化してしまう等の不具合を防止することができる。
【００１４】
上皿に、注出口の縁部から下皿に向けて伸延して、凸部との間で内容物の毛細管現象を生じさせる隙間を形成する突起を設ける場合は、内部空間に残った内容物をより確実に吸い上げることができる。
【００１５】
受皿に、上皿を覆う蓋体と、蓋体と上皿とを連結する上側ヒンジと、上皿と下皿とを連結する下側ヒンジとを設ける場合は、蓋体によって保管時に埃等が上皿に付着する不具合を防止できるうえ、下皿、上皿、及び蓋体を一つの部材で構成することができるので、部品点数を減らすことができる。
【図面の簡単な説明】
【００１６】
【図１】本発明に従う受皿付きポンプ容器の一実施形態を示す、側面視での半断面図である。
【図２】図１に示す矢印Ｘに沿う向きでの斜視図である。
【図３】図１に示す受皿付きポンプ容器の平面図である。
【図４】図１のＹ部における部分拡大図である。
【図５】図１に示す受皿を展開状態で示す、側面視での断面図である。
【発明を実施するための形態】
【００１７】
以下、図面を参照して、本発明をより具体的に説明する。なお、本明細書、特許請求の範囲、及び要約書において、「上」とは、受皿付きポンプ容器を水平面上に載置した姿勢（正立姿勢）において、容器本体に対して受皿が位置する側であり、「下」とは、その反対側である。
【００１８】
図１に示す本発明に従う受皿付きポンプ容器の一実施形態は、容器本体１０、ポンプ２０、ベースカバー３０、及び受皿４０を備えている。
【００１９】
容器本体１０は、中央部が上方に向けて突出するように湾曲する円板状の底部１１と、底部１１の縁部に連結する円筒状の胴部１２と、胴部１２から上方に向けて縮径する肩部１３と、肩部１３に連結する円筒状の口部１４とを一体に連結し、その内側に内容物の収容空間Ｓを有するものである。また、口部１４の外周面には雄ねじ１５が設けられ、雄ねじ１５の下方には、縦リブ１６が設けられている。
【００２０】
ポンプ２０は、上部に径方向外側に延在するフランジ２１ａを有する円筒状のシリンダー２１を備えている。シリンダー２１の下部には、底部１１に向けて延在するパイプ２２が嵌合保持されている。
【００２１】
またシリンダー２１の内部には、シリンダー２１内への内容物の流入、停止を司るポペット弁２３と、ポペット弁２３の径方向外側に配されるコイルばね２４と、コイルばね２４にて上方に付勢されるとともに、内側に内容物の流路を備えるピストン保持具２５と、ピストン保持具２５の上方に設けられ、ピストン保持具２５に連結する管状のステム２６と、シリンダー２１の内周面に液密に当接し、ステム２６の押込みに伴いシリンダー２１内を加圧するピストン２７とが設けられている。シリンダー２１の上部開口には、ステム２６の上方への抜け出しを阻止するストッパー２８が嵌合保持されている。
【００２２】
また、フランジ２１ａの下面にはパッキン２９が設けられている。パッキン２９は、ポンプ２０を容器本体１０の口部１４に装着した際に、フランジ２１ａと口部１４との間で挟持されるものであり、これにより内容物の漏れ出しを防ぐことができる。なお、本発明に従うポンプ２０は、本実施形態のような構成になるものに限られず、種々のポンプを用いることができる。
【００２３】
ベースカバー３０は、口部１４及びステム２６を取り囲む円筒状の外筒３１を備えている。外筒３１の内面には、径方向内側に向けて延在するリング状の連結壁３２が設けられていて、連結壁３２の径方向内側には、有蓋筒状をなし、内面に雄ねじ１５に対応する雌ねじ３３を有する保持部３４が設けられている。雄ねじ１５に雌ねじ３３をねじ込むことで、ベースカバー３０は口部１４に保持される。この状態においてポンプ２０は、フランジ２１ａ及びパッキン２９が保持部３４と口部１４との間で挟まれて、口部１４に吊下げ保持される。連結壁３２の下面には、ねじ込み終了時に縦リブ１６に係合して、ベースカバー３０の過分なねじ込みを防止する位置決めリブ３５が設けられている。また、保持部３４の上部には、上方に向けて伸延する環状壁３６が設けられている。
【００２４】
環状壁３６には、上方から下方へ向けて環状壁３６を切り欠く切り欠き部３７が設けられている。切り欠き部３７は、図２に示すように、上下方向に長く延在する長手切り欠き部３７ａと、長手切り欠き部３７ａに対して周方向に隣接して設けられる短手切り欠き部３７ｂとを備えている。
【００２５】
受皿４０は、下皿５０、上皿６０、蓋体７０を備えている。図１に示すように本実施形態では、下皿５０と上皿６０とが下側ヒンジ４１で一体に連結され、上皿６０と蓋体７０とが、上側ヒンジ４２で一体に連結されている。
【００２６】
本実施形態における受皿４０は、図５に示すように下側ヒンジ４１及び上側ヒンジ４２を伸ばした展開状態において、下皿５０及び蓋体７０に対して上皿６０が上下逆になる状態で、下皿５０、上皿６０、蓋体７０の順で一列に並べ、下皿５０と上皿６０とを下側ヒンジ４１で一体に連結させ、上皿６０と蓋体７０とを上側ヒンジ４２で一体に連結させたものである。受皿４０としては、下皿５０、上皿６０、蓋体７０を個別に設けたものを用いることも可能であるが、本実施形態のようにこれらを一体に連結したものを用いることで、部品点数を減らすことができる。
【００２７】
図１に示すように下皿５０は、上面に向けて凹状になる下側湾曲壁５１を備えている。下側湾曲壁５１の中央部には、ステム２６の出口開口２６ａに通じる連通口５１ａが設けられている。また連通口５１ａには、図３、図４に示すように、周方向に間隔をあけて設けられ、後述する上皿６０の連結凸部に係合する連結リブ５１ｂが設けられている。
【００２８】
図１に示すように下側湾曲壁５１の下面には、ステム２６の上端部外周面に嵌合保持される内周壁５２が設けられている。内周壁５２の径方向外側には、外周壁５３が設けられている。また、内周壁５２と外周壁５３との間には、径方向に沿って延在するリブ５４が設けられている。リブ５４は、切り欠き部３７内に位置していて、ベースカバー３０に対して下皿５０を回転させることで、長手切り欠き部３７ａと短手切り欠き部３７ｂとの間で移動する。またリブ５４の下端は、ステム２６が上昇した位置において、短手切り欠き部３７ｂの底部と略同じ高さにあり、ステム２６が下降した位置において、長手切り欠き部３７ａの底部よりも高い位置にある。すなわち、リブ５４が長手切り欠き部３７ａに位置する場合は、ポンプ２０の駆動が許容される状態になり、リブ５４が短手切り欠き部３７ｂ内に位置する場合は、ポンプ２０の駆動が不能になる状態にすることができる。
【００２９】
図４に示すように下側湾曲壁５１の上面には、後述する注出口に向けて伸延する截頭円錐形状の凸部５５が設けられている。また凸部５５の径方向外側には、上方に向けて突出する段部５６が設けられている。
【００３０】
上皿６０は、上面に向けて凹状になるとともに連通口５１ａに対して間隔をあけて覆い被さる上側湾曲壁６１を備えている。上側湾曲壁６１の下面中央部には、下部を拡径させた段付きの円筒状をなし、連結リブ５１ｂに係合する連結凸部６１ａが設けられている。
【００３１】
また上側湾曲壁６１には、円形状の貫通孔（注出口）６２が設けられている。注出口６２は、連通口５１ａの直上を避けた位置に設けられるものであり、本実施形態では、図３に示すように合計１２個の注出口６２が、連結凸部６１ａを中心として等間隔で設けられている。なお、注出口６２は１つであってもよい。また凸部５５は、図４に示すようにその上部が注出口６２に入り込んでいて、注出口６２の内面と凸部５５の外面との間には、内容物の毛細管現象を生じさせることができる微小の隙間Ｇが設けられている。また、上側湾曲壁６１の下面における注出口６２の縁部には、下側湾曲壁５１に向けて伸延する突起６３が設けられている。本実施形態では、図３に示すように注出口６２の周りに等間隔で合計４つの突起６３が設けられている。また、前述の隙間Ｇは、突起６３の内面と凸部５５の外面との間、及び突起６３の下面と下側湾曲壁５１の上面との間にも設けられている。
【００３２】
更に上側湾曲壁６１には、注出口６２を取り囲むとともに、外周面が段部５６の内周面に液密に当接する環状のシール壁６４が設けられている。これによって、下側湾曲壁５１と上側湾曲壁６１との間における段部５６の径方向内側には、内部空間Ｎが形成される。内部空間Ｎは、中央部において連通口５１ａに連通し、連通口５１ａよりも径方向外側において合計１２個の注出口６２に連通している。
【００３３】
蓋体７０は、円板状になる天壁７１と、天壁７１の縁部から垂下される周壁７２とを備えている。また周壁７２には、天壁７１の中心軸線を挟んで上側ヒンジ４２の反対側に、径方向外側に突出して円弧状をなす指掛け部７３が設けられている。
【００３４】
このような構成になる受皿付きポンプ容器から内容物を注出させるには、蓋体７０を開くとともに、受皿４０を回転させて、リブ５４が短手切り欠き部３７ｂに位置する状態（ポンプ２０の駆動が不能である状態）から、リブ５４が長手切り欠き部３７ａに位置する状態（ポンプ２０の駆動が許容される状態）に切り替える。
【００３５】
そして、コットンやパフ等の塗布用具を上皿６０に載せて、塗布用具を指で押さえるようにして上皿６０を押圧する。これによってステム２６が下降してポンプ２０が駆動され、内容物が出口開口２６ａから連通口５１ａへ送給され、内部空間Ｎを経て注出口６２から注出される。すなわち出口開口２６ａから吐出される内容物は、内部空間Ｎで迂回してから注出され、流れの勢いが弱められることになるので、内容物を緩やかに注出させることができる。また、注出口６２を複数設けているので、内容物は分散して注出されることになり、内容物を更に緩やかに注出させることができる。
【００３６】
また、注出口６２と凸部５５との間には、内容物の毛細管現象を生じさせることができる微小の隙間Ｇが設けられているので、注出口６２にあてがう塗布用具によって、内部空間Ｎに残った内容物を吸い上げることができる。本実施形態では、突起６３と凸部５５との間、及び突起６３と下側湾曲壁５１との間にも同様の隙間Ｇが設けられているので、内容物をより効果的に吸い上げることができる。
【００３７】
本発明に従う受皿付きポンプ容器は、上述した実施形態に限定されるものではなく、特許請求の範囲に従う範囲で種々の変更が可能である。例えば、内部空間Ｎを形成するために設けた、下側湾曲壁５１の段部５６と上側湾曲壁６１のシール壁６４とを、相互に入れ換えて構成してもよい。またポンプ２０の駆動又は非駆動を切り替える構成は、本実施形態のような切り欠き３７とリブ５４との組み合わせに限られるものではなく、受皿４０を押し下げ可能あるいは不能に切り替えることができる種々の構成を適用することができる。
【産業上の利用可能性】
【００３８】
本発明によれば、内容物を緩やかに注出させることができるので、注出させた内容物が塗布用具を通り抜けて周囲に飛散してしまう不具合を防止することができる、新たな受皿付きポンプ容器を提供することができる。
【符号の説明】
【００３９】
１０：容器本体
１１：底部
１２：胴部
１３：肩部
１４：口部
１５：雄ねじ
１６：縦リブ
２０：ポンプ
２１：シリンダー
２１ａ：フランジ
２２：パイプ
２３：ポペット弁
２４：コイルばね
２５：ピストン保持具
２６：ステム
２６ａ：出口開口
２７：ピストン
２８：ストッパー
２９：パッキン
３０：ベースカバー
３１：外筒
３２：連結壁
３３：雌ねじ
３４：保持部
３５：位置決めリブ
３６：環状壁
３７：切り欠き部
３７ａ：長手切り欠き部
３７ｂ：短手切り欠き部
４０：受皿
４１：下側ヒンジ
４２：上側ヒンジ
５０：下皿
５１：下側湾曲壁
５１ａ：連通口
５１ｂ：連結リブ
５２：内周壁
５３：外周壁
５４：リブ
５５：凸部
５６：段部
６０：上皿
６１：上側湾曲壁
６１ａ：連結凸部
６２：注出口
６３：突起
６４：シール壁
７０：蓋体
７１：天壁
７２：周壁
７３：指掛け部
Ｇ：隙間
Ｎ：内部空間
Ｓ：収容空間
【図１】
0006362968.tif 000002
【図２】
0006362968.tif 000003
【図３】
0006362968.tif 000004
【図４】
0006362968.tif 000005
【図５】
0006362968.tif 000006